(57)【要約】【課題】原稿の設定位置を無くし操作性を向上することができる画像読取装置を提供する。【解決手段】原稿の表面側の画像を読み取ると共に、原稿を反転してその裏面側の画像を読み取る画像読取装置において、読み取り指定の操作無しで原稿の片面／両面を読み取る制御を行うメインコントローラ５０１を備え、さらにこのメインコントローラ５０１は、原稿とは別の読取判別シートの読取結果に基づき原稿の片面／両面を読み取る機能を有する。【選択図】　　　図３
2004064222.tif 000002
【特許請求の範囲】
【請求項１】
原稿の表面側の画像を読み取ると共に、原稿を反転してその裏面側の画像を読み取る画像読取装置において、読み取り指定の操作無しで原稿の片面／両面を読み取る制御を行うメインコントローラを備え、さらにこのメインコントローラは、原稿とは別の読取判別シートの読取結果に基づき原稿の片面／両面を読み取る機能を有することを特徴とする画像読取装置。
【請求項２】
請求項１記載の画像読取装置において、メインコントローラの制御により、読取判別シートは、設定指定用原稿として読取対象から外すことを特徴とする画像読取装置。
【発明の詳細な説明】
【０００１】
【発明の属する技術分野】
本発明は、画像読取装置に関するもので、更に詳しくは、両面読み取りの機能を有するファクシミリ、デジタル複写機、イメージスキャナ等の画像読取装置に関するものである。
【０００２】
【従来の技術】
特開２０００−１０１７９７公報には、ファクシミリ装置のような画像形成装置において、本体フレームに配置する読取装置に組み合わせて、揺動フレームにも読取装置を設けて、両面原稿に対する読取を１度の原稿のセットで行い得るようにするために以下の技術が提案されている。
即ち、このファクシミリ装置には、記録装置を設けた本体フレームにプラテンガラスと読取装置とを配置し、原稿の画像面を下に向けて設定した状態での読取りに対処させる。また、前記本体フレームにヒンジを介して揺動可能に設けた揺動フレームに対しても、下部にプラテンガラスと読取装置を配置して、原稿の上の画像面の読取りを行い得るようにし、前記上下の読取装置により両面原稿の画像の読取りを行い得るようにする。
特開２００１−０７７９７６公報には、連続両面読み取り時においても連続片面読み取り時の処理能力に比べて同等の処理能力を備えた画像読取装置及び画像形成装置を提供するために以下の技術が提案されている。
即ち、この装置は、原稿を原稿搬送経路に沿って搬送する搬送ローラと、照明ランプにより照明され、読み取り部を通過する原稿の一面目の反射光を結像させる結像部にＣＣＤセンサを有し、ＣＣＤセンサにより原稿の一面目の画像情報を読み取る読み取り光学部と、照明ランプにより照明され、読み取り部を通過する原稿２の二面目の反射光を読み取り部で一旦結像させた後、前記結像部で結像させてＣＣＤセンサにより原稿２の二面目の画像情報を読み取る読み取り光学部とを備える。
【０００３】
【発明が解決しようとする課題】
両面読み取り機能を有する画像読取装置に関連して、上述したように種種の提案がなされているが、読み取り設定、出力の組み合わせを無くし、操作性を向上させることが特に要求されている。
本発明はこのような背景に鑑み、原稿の設定位置を無くし操作性を向上することができる画像読取装置を提供することを目的とする。
【０００４】
【課題を解決するための手段】
上記目的を達成するために、請求項１記載の発明は、原稿の表面側の画像を読み取ると共に、原稿を反転してその裏面側の画像を読み取る画像読取装置において、読み取り指定の操作無しで原稿の片面／両面を読み取る制御を行うメインコントローラを備え、さらにこのメインコントローラは、原稿とは別の読取判別シートの読取結果に基づき原稿の片面／両面を読み取る機能を有する画像読取装置を最も主要な特徴とする。
請求項２記載の発明は、請求項１記載の画像読取装置において、メインコントローラの制御により、読取判別シートは、設定指定用原稿として読取対象から外す画像読取装置を主要な特徴とする。
【０００５】
【発明の実施の形態】
以下、図面により本発明の実施の形態を詳細に説明する。図１は本発明の画像読取装置の実施形態に係る複合デジタル複写機の構成図である。このデジタル複写機は、複写機本体１、自動原稿送り装置（以後ＡＤＦ）１００、３ビンソーター２００、給紙ユニット（以後バンク）３００を有する。
複写機本体１は、スキャナー、画像処理部およびプロッタ−などを有し、スキャナーは、原稿を載置するコンタクトガラス１０と光学走査系で構成されており、光学走査系は、露光ランプ１１、第１ミラー１２、レンズ１５、フルカラーＣＣＤ１６等々で構成されている。また光学走査系は、露光ランプ１１および第１ミラー１２を装備していて、原稿読み取り時はステッピングモーターにより駆動されて一定の速度で移動する第１キャリッジと、第２ミラー１３および第３ミラー１４を装備していて、原稿読み取り時にステッピングモーターにより駆動されて第１キャリッジの１／２の速度で駆動する第２キャリッジを有する。
この第１キャリッジ、第２キャリッジによりコンタクトガラス１０上の図示しない原稿が光学的に走査され、露光ランプ１１、第１ミラー１２、第２ミラー１３、第３ミラー１４およびレンズ１５を介してＣＣＤ１６上に結像され光電変換される。ＣＣＤで赤（Ｒ）、緑（Ｇ）、青（Ｂ）の各色に分離された画像信号はＡＤ変換器によりＡＤ変換され画像処理を行っている画像処理部へ出力される。
【０００６】
画像処理部は、ＡＤ変換器からの画像信号に種々の画像処理（２値化、多値化、変倍、編集など）を施し、デジタル信号に変換する。書き込みユニットは、レーザー出力ユニット２０、ｆθレンズ２１、ミラー２２で構成され、レーザー出力ユニット２０の内部には、レーザー光源であるレーザーダイオードおよびポリゴンモーターが備わっている。
画像処理部から出力された黒画像信号は、この画像信号に対応した強度を有するレーザー光に転換され、コリメートレンズ、アパーチャー、シリンダレンズにより一定形状の光束に整形されポリゴンモーターに照射され、レーザー出力ユニット２０から出力される。レーザー出力ユニット２０から出力されたレーザー光は、ｆθレンズ２１、ミラー２２を介して感光体ドラム３０に照射される。また、ｆθレンズ２１を通過したレーザー光は、画像領域外に配置された主走査同期検知信号ＰＭＳＹＮＣを発生するビームセンサーに照射される。
画像処理部から出力された赤画像信号は、黒画像信号との書き込み位置を合わせるためにバッファリングされ、ＬＥＤ書き込みユニット３１に送られ感光体ドラム３０に照射される。
【０００７】
ＡＤＦ１００は原稿を１枚ずつ複写機本体１のコンタクトガラス１０へ給紙し、複写後に排紙する。原稿は原稿給紙台１０１上に積載され、サイドガイドにより幅方向が揃えられる。原稿給紙台１０１上の原稿は、一番下の原稿から給紙ローラー１０２により１枚ずつ分離して給紙され、搬送ベルト１０３により、複写機本体１のコンタクトガラス１０上に送られる。コンタクトガラス１０上の原稿は読み取り終了後、搬送ベルト１０３および排紙ローラー１０４により排紙トレイ１０５に排紙される。
両面の原稿を読み取る場合、原稿給紙台１０１上の両面原稿は、給紙ローラー１０２により１枚ずつ分離して給紙され、搬送ベルト１０３により、複写機本体１のコンタクトガラス１０上に送られる。原稿の表面読み取り終了後、両面原稿は、搬送ベルト１０３によって搬送され、反転爪１０６によって原稿反転後コンタクトガラス１０上に送られる。原稿の裏面読み取り終了後、搬送ベルト１０３および排紙ローラー１０４により排紙トレイ１０５に排紙される。
第１トレイ５０、第２トレイ３１０、第３トレイ３２０、第４トレイ３３０に夫々積載された転写紙は、各々の第１給紙装置５１、第２給紙装置３１１、第３給紙装置３２１、第４給紙装置３３１によって給紙され、バンク縦搬送ユニット３４０および本体縦搬送ユニット６０によって搬送される。この転写紙の先端がレジストセンサー５２で検出されると一定時間搬送後、レジストローラ５３で停止する。
この転写紙は、画像有効信号（ＦＧＡＴＥ）の先端に合わせて感光体ドラム３０上に送出され、転写チャージャーにより画像を転写され、感光体から転写紙を分離後、搬送装置５４により搬送され、定着ローラーおよび加圧ローラーを有する定着装置５５により定着され、排紙ローラー５６によって３ビンソーター２００に排紙される。
第１帯電装置によって感光体ドラム３０上に帯電された電荷をレーザー光を照射することにより静電潜像を形成し、黒現像器３２によって感光体ドラム３０上に画像を形成する。その後、第２帯電装置により感光体ドラム３０上に再度帯電を行い、ＬＥＤアレイ３１によって２色目の静電潜像を形成し、第２現像器３３によって感光体ドラム３０上に画像を形成している。
【０００８】
両面ユニット４０を使用して両面印刷を行う場合、定着装置５５からの転写紙は切り替え爪５７により両面搬送路４１に導かれ、フィードローラー４２、分離コロ４３を通過して両面トレイに集積される。トレイに集積された転写紙は、トレイが上昇することによりフィードローラー４２と接触し、フィードローラー４２が回転することにより本体縦搬送ユニット６０に送られ、レジストローラ５３へ再給紙された後に裏面に対して印刷が行われる。
３ビンソーター２００には第１排紙トレイ２０１、第２排紙トレイ２０２、第３排紙トレイ２０３、反転専用トレイ２０４があり、それぞれのトレイに転写紙を反転して出力できるように構成されている。
複写機本体１から排紙された転写紙は、表面排紙の場合、切り替え爪２０７によって排紙トレイ方向に導かれ、あらかじめ設定したトレイに排紙される。第２排紙トレイ２０２に排紙する場合には第２トレイ切り替え爪２０５、第３排紙トレイ２０３に排紙する場合には第３トレイ切り替え爪２０６がそれぞれ作動して転写紙を導く。
反転排紙する場合には、転写紙は切り替え爪２０７によって反転トレイ２０４方向に導かれ、転写紙の後端が反転検知センサー２０８を通過すると、搬送コロ２０９が逆転し、排紙トレイ方向に導かれ、あらかじめ設定したトレイに排紙される。
第１排紙トレイ２０１には、トレイを前後にシフトする機能、上下にシフトする機能が搭載されている。シフト機能は、転写紙を仕分けする時に使用し、上下機能は、大量の転写紙を用紙揃え性を確保しながら積載するために使用する。
【０００９】
図２は操作部４００の正面図である。操作部４００の中央には、４００×２５６ｄｏｔの液晶表示部（ＬＣＤ）４０１およびタッチパネルが設けられている。この液晶表示部４０１には、機械に組み込まれている機能（コピー、ＦＡＸ）の表示が行われ、ユーザーはこの表示に従って機械の操作を行う。機能（コピー、ＦＡＸ）の切り替えは、機能切り替えキー４１２、４１３によって行われる。
この液晶表示部４０１の右側にはコピー、ＦＡＸで共通に使用する各種テンキー４０２、クリア／ストップキー４０３、スタートキー４０４、プログラムキー４０５、ジョブリコールキー４０６、モードクリア／予熱キー４０７、割り込みキー４０８等の各種キーと、ＦＡＸ専用で使用するポーズ／リダイヤルキー４０９、短縮キー４１０、受信キー４１１等のキーが配置されている。
この液晶表示部４０１の左側には、ＦＡＸ切り替えキー４１２、コピー切り替えキー４１３、初期設定キー４１４、ガイダンスキー４１５、ＬＣＤ濃度調整ボリューム４１６がそれぞれ設けられている。このキーの更に左の部分には、ＦＡＸ専用の表示部４１７が設けられている。この表示部４１７には、通信中、メモリーフルなどの各種ＬＥＤと、通信状態を表示する４０文字（２０文字×２行）のＬＣＤが設けられている。
【００１０】
図３は複合デジタル複写機のブロック図である。この複写機本体１の制御系は、液晶表示、各種ＬＥＤ制御、各種キー入力制御を行う操作部コントローラ５００、給紙、搬送、定着、両面、プロセス制御等を行うメインコントローラ５０１、画像制御／スキャナー読み取り制御を行う画像処理コントローラ５０２、ＡＤＦ制御を行うＡＤＦコントローラ５０３、３ビンソーター制御を行うソーターコントローラ５０４、給紙ユニット制御を行う給紙トレイコントローラ５０５、ＦＡＸの送受信管理、ファイル管理を行うＦＡＸコントローラ５０６、Ｇ３のプロトコル制御を行うＧ３コントローラ５０７、Ｇ４のプロトコル制御を行うＧ４コントローラ５０８、ＬＡＮ等のネットワーク制御を行うＥｔｈｅｒｎｅｔ（登録商標）コントローラなどで構成されている。
【００１１】
図４は画像処理部のブロック図である。画像処理コントローラ５０２のＣＰＵ６００はメインコントローラ５０１から読み取り開始の指示があると、スキャナー制御回路６０４に対して指示を伝える。スキャナー制御回路６０４は露光ランプ１１を点灯させ、モーター６０５を動作させることにより第１キャリッジ、第２キャリッジを読み取り基準位置に移動させ、位置センサー６０３で検出後、読み取りを開始する。この時、副走査有効期間信号ＦＧＡＴＥ（読み取り開始時アクティブ、終了時にネガティブ）を作りタイミング制御回路６０６に送る。タイミング制御回路６０６では、画像同期クロックＣＬＫ、主走査同期信号ＬＳＹＮＣ、主走査有効信号ＬＧＡＴＥを生成し出力する。
画像の流れを説明する。コンタクトガラス１０上に置かれた原稿６０７が露光ランプ１１により照明され、反射光がカラーＣＣＤ１６に結像され、カラーＣＣＤ１６から赤（Ｒ）、緑（Ｇ）、青（Ｂ）に分離されたアナログ画像信号が、信号処理回路６０８により増幅／光量補正され、ＡＤ変換器６０９によりデジタル多値信号に変換され、シェーディング補正回路６１０によりシェーディング補正され画像処理部６１１に送られる。
画像処理部６１１では、ＭＴＦ補正、γ補正、黒画像生成、カラー画像生成、２値処理、多値処理などの基本的な画質処理と、変倍、編集、マーカー検知等のデジタル特有の画像処理を行い黒データＤＡＴＡ０〜７、カラーデータＤＡＴＡＣが出力される。画像処理部６１１から出力された画像データ、タイミング制御回路６０６で生成された同期信号、書き込みの基準信号ＰＭＳＹＮＣは画像セレクター６１２に入力される。
コピーの場合、画像データは、黒画像は書き込み制御部（黒）６１３からＬＤ６１４に送られ、カラー画像は書き込み制御部（カラー）６１５からＬＥＤ６１６に送られ、感光体ドラム３０に照射されることによって像を形成する。ＦＡＸ送信を行う場合、画像データは、画像セレクター６１２からメインコントローラ５０１内部にあるＦＡＸ用メモリーに転送される。また、ＦＡＸ受信出力は、回線から受信したデータを伸長してＦＡＸ用メモリーに展開後、画像データ、同期信号と共に画像セクレター６１２に入力され、書き込みが行われる。
【００１２】
図５はＡＤＦ１００の上側部から見た原稿給紙台１０１の構成図である。ＡＤＦ１００には、サイドガイド７０１が設けられていて、原稿７００はサイドガイド７０１の左右のどちら側でも設置できる。原稿７００を設置するとサイドガイド７０１のどちらかを判別するために両側に検知センサーを設けている。原稿７００が左側に設置されていれば、Ｌ検知センサー７０２が原稿有りを検知する。原稿７００が右側に設置されていれば、Ｒ検知センサー７０３が原稿有りを検知する。
ここでは左右に検知センサー７０２，７０３を設けているが、従来から設けてある原稿検知センサーとＬ検知センサー７０２かＲ検知センサー７０３のどちらかがあれば同様の検出を行なうことができる。該原稿検知センサーとＬ検知センサー７０２の組み合わせでは、該原稿検知センサーが検知、Ｌ検知センサー７０２が原稿有り検知で原稿は左側設置、Ｌ検知センサー７０２が原稿検知無しで原稿は右側設置と判断できる。
前記従来の原稿検知センサーとＲ検知センサー７０３の組み合わせでは、該原稿検知センサーが検知、Ｒ検知センサー７０３が原稿有り検知で原稿は右側設置、Ｒ検知センサー７０３が原稿検知無しで原稿は左側設置と判断できる。。また、原稿検知センサーの配置によっては左右の検知センサーを兼用でき、Ｌ検知センサー７０２もＲ検知センサー７０３も新たに設ける必要がない構成も採れる。サイドガイド７０１は原稿の搬送方向と直交する幅方向へスライド可能で、原稿７００のサイズを自由に変えることができる。サイドガイド７０１は、サイドガイド位置検知器７０４でガイド位置を検出することができる。このサイドガイド位置検知器７０４を通して原稿幅を算出することができる。原稿位置と原稿幅が判れば読み込みができる。
【００１３】
図５（ａ）は、原稿７００を左側に設置した場合の図である。ここではＬ検知センサー７０２が原稿有りを検知している。Ｒ検知センサー７０３は原稿有りを検知していない。図５（ｂ）は、原稿７００を右側に設置した場合の図である。ここではＲ検知センサー７０３が原稿有りを検知している。Ｌ検知センサー７０２は原稿有りを検知していない。図５（ｃ）は、原稿７００の向きを変えて設置した場合の図である。ここではＬ検知センサー７０２が原稿有りを検知している。Ｒ検知センサー７０３は原稿有りを検知していない。サイドガイド７０１はＬ検知センサー７０２とＲ検知センサー７０３の両方が検知しないような幅もしくは形状を持たせていなければならない。
本体内部のコントローラ５０１の設定で、原稿の左側設置を片面読み込み処理設定、右側設置を両面読み込み処理設定にしていた場合、図５（ａ）の場合は片面読み込み処理、（ｂ）の場合は両面読み込み処理、（ｃ）の場合は片面読み込み処理に設定される。このように原稿の設置位置によって読み込み処理を自動的に設定できる。
しかし、メインコントローラ５０１で原稿設置位置の処理制御を行なわないときには、個別の原稿読取判別シートを用いることで片面／両面の読み取りを行なわせることができる。この原稿読取判別シートは、読み取る原稿の最初に添付する。この原稿読取判別シートは両面で読み取られる。ただし、この読み取った画像は、設定指定用原稿なので本来、読み取る原稿の対象ではない。従って、読み取り後、画像自体は捨てられる。この画像から各種設定を認識する。
【００１４】
図６ないし図９は原稿読取判別シートの第１ないし第４の例を示す図である。図６（ａ）は、読取判別シート７１０の表面、（ｂ）は、読取判別シート７１０の裏面を示す。この読取判別シート７１０を読ませた場合、片面読み取りと認識する。この例では、黒面が読み取り対象を示している。対象の識別は、任意のマーク等、他にも設定できる。
図７（ａ）は、読取判別シート７１０の表面、（ｂ）は、読取判別シート７１０の裏面を示す。この読取判別シート７１０を読ませた場合、表裏とも黒面であるため、両面読み取りと認識する。
図８、図９は、付加機能を施した原稿読取判別シート７１０の例を示す。図８の読取判別シート７１０を読ませた場合は２枚集約、図９の読取判別シート７１０を読ませた場合は４枚集約と認識する。ここでは、格子状態を識別して容易に読み取り条件を判別できる。このように片面／両面の判別以外の読み取り設定機能を付加して原稿読取判別シート７１０を読み取らせることもできる。
図１０は原稿読取判別シートを使った原稿読取処理の流れを示すフローチャートである。まず、読み取る原稿の最初に原稿読取判別シート７１０を添付して読み取りを開始する。１枚目である原稿読取判別シート７１０は両面を読み取る（Ｓ−１）。読み取った画像で、片方の画像が白紙状態であれば、即ち、片方に任意の画像データがあれば、片面読み取りと判断し（Ｓ−２）、片面読み取り設定を行なう（Ｓ−４）。しかも、原稿の置き間違いがあっても、画像データがあった方を読み取り対象とするので白紙出力を回避できる。次原稿からは、この片面読み取り設定に従って読み取りを行なう（Ｓ−７）。
読み取った画像が、両方とも任意の画像データであれば、両面読み取りと判断し（Ｓ−３）、両面読み取り設定を行なう（Ｓ−５）。次原稿からは、この両面読み取り設定に従って読み取りを行なう（Ｓ−７）。それ以外、即ち、読み取った画像が両面白紙状態であった場合、原稿読取判別シートの添付ミスと判断し、警告表示を行なう等の処理を行なって終了する（Ｓ−６）。
また、図８、図９に示す原稿読取判別シート７１０の場合は、レイアウトや読み取り濃度や原稿種類も、片面／両面設定と同じように設定することができる。図１０のフローチャートで言えば、片面読み取り設定（Ｓ−４）と両面読み取り設定（Ｓ−５）の処理でその設定を追加すればよい。また、片面／両面の判別ではなく、文字原稿／写真原稿の判別といった別の機能判別等にも同様に図８、図９の原稿読取判別シート７１０を使用することができる。その場合は片面を文字原稿に、両面を写真原稿にと、置き換えればよい。
【００１５】
【発明の効果】
以上説明したように、請求項１記載の発明によれば、原稿の表面側の画像を読み取ると共に、原稿を反転してその裏面側の画像を読み取る画像読取装置において、読み取り指定の操作無しで原稿の片面／両面を読み取る制御を行うメインコントローラを備え、さらにこのメインコントローラは、原稿とは別の読取判別シートの読取結果に基づき原稿の片面／両面を読み取る機能を有することで、読み取り設定、出力の組み合わせを無くし操作性を向上することができる。
請求項２記載の発明によれば、メインコントローラの制御により、読取判別シートは、設定指定用原稿として読取対象から外すことで、読み取り設定、出力の組み合わせを無くし操作性を向上することができる。
【図面の簡単な説明】
【図１】本発明の画像読取装置の実施形態に係る複合デジタル複写機の構成図である。
【図２】操作部の正面図である。
【図３】複合デジタル複写機のブロック図である。
【図４】画像処理部のブロック図である。
【図５】ＡＤＦの上側部から見た原稿給紙台の構成図である。
【図６】原稿読取判別シートの第１の例を示す図である。
【図７】原稿読取判別シートの第２の例を示す図である。
【図８】原稿読取判別シートの第３の例を示す図である。
【図９】原稿読取判別シートの第４の例を示す図である。
【図１０】原稿読取判別シートを使った原稿読取処理の流れを示すフローチャートである。
【符号の説明】
５００　操作部コントローラ、５０１　メインコントローラ、５０２　画像処理コントローラ、５０３　ＡＤＦコントローラ、５０４　ソーターコントローラ、５０５　給紙トレイコントローラ
【図１】
2004064222.tif 000003
【図２】
2004064222.tif 000004
【図３】
2004064222.tif 000005
【図４】
2004064222.tif 000006
【図５】
2004064222.tif 000007
【図６】
2004064222.tif 000008
【図７】
2004064222.tif 000009
【図８】
2004064222.tif 000010
【図９】
2004064222.tif 000011
【図１０】
2004064222.tif 000012